(57)【要約】      （修正有）【課題】下ろくろと中棒の摩擦、摩耗を低減し、同時に外腐食防止層に対する損傷を回避し、支持筒の腐食を回避することができる傘の中棒を提供する。【解決手段】傘の中棒は、金属の支持筒１を備え、支持筒の外側には、外腐食防止層２が被覆され、外腐食防止層の表面には、支持筒の軸線方向に沿って延伸する突条２１が複数設けられ、複数の突条は円周に沿って均一に分布され、突条の上部は円弧状を呈す。隣接する２つの突条の底部の間の距離は、突条の幅より小さい。【選択図】図１
0003212863.tif 000002
【実用新案登録請求の範囲】
【請求項１】
傘の中棒であって、金属の支持筒を備え、前記支持筒の外側には、外腐食防止層が被覆され、前記外腐食防止層の表面には、支持筒の軸線方向に沿って延伸する突条が複数設けられ、複数の前記突条は円周に沿って均一に分布され、前記突条の上部は円弧状を呈す、傘の中棒。
【請求項２】
隣接する２つの前記突条の底部の間の距離は、前記突条の幅より小さい、請求項１に記載の傘の中棒。
【請求項３】
前記突条と外腐食防止層の材料が同じであり、両者は一体成形される、請求項２に記載の傘の中棒。
【請求項４】
前記外腐食防止層の材料はプラスチックである、請求項３に記載の傘の中棒。
【請求項５】
前記外腐食防止層の材料は樹脂である、請求項３に記載の傘の中棒。
【請求項６】
前記外腐食防止層の材料はエンジニアプラスチックである、請求項３に記載の傘の中棒。
【請求項７】
前記支持筒の内部には、内腐食防止層が設けられ、前記外腐食防止層と内腐食防止層は、支持筒の両端で連結され共に支持筒を被覆し、前記外腐食防止層と内腐食防止層の材料が同じである、請求項１〜６のいずれか一項に記載の傘の中棒。
【考案の詳細な説明】
【技術分野】
【０００１】
本考案は、傘部品の分野に属し、さらに具体的には、傘の中棒に関する。
【背景技術】
【０００２】
傘は、日陰を提供し又は雨や雪を遮るものである。傘の製造材料は、展性を有する織物、及び他のフレームとして使用可能な材料や巻き糸を含む。使用時には、傘を手で持ち上げ、もともと傘を発明した主な目的は、日差しをブロックすることであったが、現在、最も頻繁に雨の日の雨具として使用されている。
【０００３】
一般的に、傘は、傘カバー、傘骨及び中棒を備える。中棒には、摺動可能な下ろくろが外挿され、中棒の上端には上ろくろが設けられる。中棒は、上ろくろ及び下ろくろを介して、傘骨と連接される。傘の開閉のときに、下ろくろは中棒において上下摺動する必要がある。従来技術において、一般的に、十分な強度を提供するために、中棒は金属で作られる。しかしながら、傘は典型的に湿潤環境にある。特に一部の雨水が下ろくろと中棒との間に入った場合、水は溜まって中棒の腐食や錆を引き起こす。現在、傘の中棒の外側に保護層が塗られているが、下ろくろが往復摺動する過程において、この保護層は非常に磨耗しやすいことにより、金属の中棒は空気と直接接触する。また、現在の中棒は、一般的に、円形または多角形の柱状として設けられ、中棒の外面は非常に平坦であり、下ろくろの内面も非常に平坦であり、両方間に面積が大きな面接触が形成し、摩擦力が大きくなり、中棒の表面の摩耗を悪化させる。
【考案の概要】
【考案が解決しようとする課題】
【０００４】
従来技術の欠点に対して、本考案は、複数の突条を有することによって、中棒の表面が円周方向に沿って凹凸を有し、中棒に外挿される下ろくろが突条の上部と接触し、接触面を減少し、摺動摩擦を低減し、使用期間を延長する傘の中棒を提供する。
【課題を解決するための手段】
【０００５】
上記目的を実現するために、本考案は以下のような技術的解決手段を提供する。傘の中棒は、金属の支持筒を備え、前記支持筒の外側には、外腐食防止層が被覆され、前記外腐食防止層の表面には、支持筒の軸線方向に沿って延伸する突条が複数設けられ、複数の前記突条は円周に沿って均一に分布され、前記突条の上部は円弧状を呈す。
【０００６】
さらに、隣接する２つの前記突条の底部の間の距離は、突条の幅より小さい。
【０００７】
さらに、前記突条と外腐食防止層の材料が同じであり、両者は一体成形される。
【０００８】
さらに、前記外腐食防止層の材料はプラスチックである。
【０００９】
さらに、前記外腐食防止層の材料は樹脂である。
【００１０】
さらに、前記外腐食防止層の材料はエンジニアプラスチックである。
【００１１】
さらに、前記支持筒の内部には、内腐食防止層が設けられ、前記外腐食防止層と内腐食防止層は、支持筒の両端で連結され共に支持筒を被覆し、前記外腐食防止層と内腐食防止層の材料が同じである。
【考案の効果】
【００１２】
従来技術と比較して、本考案は、突条を有する外腐食防止層を金属の支持筒の外表面に増設し、かつ突条の上部が円弧状を呈する（従来技術における下ろくろの内壁は比較的平坦である）。下ろくろが中棒において摺動するときに、実際には、下ろくろの内壁は突条の円弧状の上部と接触し、接触面積が大きく低減される。摺動摩擦が低減される上に、外腐食防止層の摩耗が低減され、中棒全体及び下ろくろの使用期間が延長される。当然のことながら、内腐食防止層は、金属の支持筒全体を被覆し、支持筒を空気から遮断し、その錆の発生を回避する。
【図面の簡単な説明】
【００１３】
【図１】本考案に係る傘の中棒の径方向断面図である。
【図２】本考案に係る傘の中棒の一部の正面図である。
【考案を実施するための形態】
【００１４】
図１と図２を参照しながら、本考案に係る傘の中棒の実施例をさらに説明する。
【００１５】
傘の中棒は、金属の支持筒１を備え、前記支持筒１の外側には、外腐食防止層２が被覆され、前記外腐食防止層２の表面には、支持筒１の軸線方向に沿って延伸する突条２１が複数設けられ、複数の前記突条２１は円周に沿って均一に分布され、前記突条２１の上部は円弧状を呈す。
【００１６】
本実施例の外腐食防止層２の材料は、突条２１の材料と同じである。その材料は、プラスチック、樹脂又はエンジニアプラスチックとすることができる。
【００１７】
実使用時に、金属の支持筒１は、強度のある支持を提供し、内壁が平坦である下ろくろは中棒に外嵌し、下ろくろの内壁は突条２１の円弧形上部と接触する。即ち、元の面接触は線接触に変更され、摩擦力が低減される。従来技術における１層のみの腐食防止構造に対して、突条２１を設けることは、下ろくろの内壁と支持筒１との間の距離を増加し、摩擦の損傷を更に小さくし、さらに、外腐食防止層２が摩耗されて金属の支持筒１が外部に露出して空気と接触することを回避し、空気を完全に遮断し、錆の発生を回避する。同時に、従来技術においては、下ろくろ及び中棒の接触面がいずれも平坦であるため、摩擦を低減するために、一般的には、両者間の間隙を大きくするが、下ろくろは、中棒における固定の堅牢さが十分でなく、半径方向に沿って大きく揺動する。本考案では、下ろくろは突条２１の上部と接触するため、この間隙をできるだけ小さくし、過度の摩擦も生じない。
【００１８】
好ましくは、本実施例において、隣接する２つの突条２１の底部の間の距離は、突条２１の幅より小さい。中棒の全体構造をさらに美しくする上に、中棒の全体構造の強度を向上させることができる。
【００１９】
好ましくは、本実施例において前記支持筒１の内部には内腐食防止層３が設けられる。前記外腐食防止層２と内腐食防止層３は、支持筒１の両端で連結されて共に支持筒１を被覆する。前記外腐食防止層２と内腐食防止層３の材料は同じである。内腐食防止層３と外腐食防止層２の組み合わせ作用によって、支持筒１を被覆し、金属の支持筒１を空気から完全に遮断し、空気との接触の可能性を回避する。
【００２０】
当然のことながら、本考案の中棒は、長傘の中棒であってもよく、折りたたみ傘の伸縮中棒であってもよい。伸縮中棒に対しては、本考案の使用効果がより明らかである。
【００２１】
上記は本考案の実施方式であり、本考案の保護範囲は上記実施例に制限されず、本考案構想における技術的解決手段は本考案の保護範囲に属する。指摘する必要があるのは、本技術分野の当業者に対して、本考案原理に離脱しない改良と修飾は、本考案の保護範囲と見なす。
【符号の説明】
【００２２】
１  支持筒
２  外腐食防止層
２１  突条
３  内腐食防止層
【図１】
0003212863.tif 000003
【図２】
0003212863.tif 000004